(57)【要約】  ダクト圧損やモータ特性、ファン特性を把握することなく所定の風量に調整することができる空気調和機を提供する。空気調和機は、冷媒を圧縮する圧縮機（１）、冷媒を凝縮する凝縮器（２）、減圧する膨張弁（３）および蒸発する蒸発器（４）が、冷媒を循環させる配管で連結された冷媒回路と、蒸発器（４）に空気を送風する送風機（５）と、前記圧縮機（１）、、膨張弁（３）および送風機（５）の動作を制御するコントローラ（７）と、を具備している。コントローラ（７）のメモリには、凝縮器および蒸発器の熱交換効率と送風量の関係を示すデータが格納され、コントローラ（７）は、前記データに基づいて熱交換効率と冷凍サイクルの状態から、送風機（５）の送風量を計算する。
2016170668.tif 000002
【特許請求の範囲】
【請求項１】
冷媒を圧縮する圧縮機、冷媒を凝縮する凝縮器、減圧する膨張弁および蒸発する蒸発器が、冷媒を循環させる配管で連結された冷媒回路と、
前記蒸発器に空気を送風する送風機と、
前記圧縮機、膨張弁および送風機の動作を制御するコントローラと、を備え、
当該コントローラのメモリには、前記凝縮器および蒸発器の熱交換効率と送風量の関係を示すデータが格納され、
前記コントローラは、前記データに基づき、熱交換効率と冷凍サイクルの状態から前記送風機の送風量を計算することを特徴とする空気調和機。
【請求項２】
前記送風機は、ファンとモータが直結されている、請求項１に記載の空気調和機。
【請求項３】
前記送風機は、ファンとモータがプーリまたはベルトを介して間接的に接続されている請求項１に記載の空気調和機。
【発明の詳細な説明】
【技術分野】
【０００１】
この発明は、ヒートポンプ方式を採用した空気調和機に関するものである。
【背景技術】
【０００２】
一般に、ヒートポンプ方式を採用した空気調和機は、圧縮機、凝縮器、膨張弁および蒸発器と、これらを連結して冷媒を循環させる配管、ならびに送風機で構成されている。同空気調和機では、圧縮機において冷媒を圧縮し、高圧のガス状態として凝縮器に送り、凝縮器において冷媒を凝縮し、高圧の液状態として膨張弁に送り、膨張弁において冷媒を膨張減圧し、低圧の気液二相状態として蒸発器に送り、蒸発器において冷媒を蒸発し、低圧のガス状態として再び圧縮機に送ることで冷凍サイクルを利用して室内の温度を調整している。【０００３】
例えば、冷房運転では室内は蒸発器によって冷却される。このとき、蒸発器と室内空気とを熱交換するために送風機によって空気が蒸発器を通過するように構成されている。【０００４】
上述した空気調和機では、送風量は使用者によって決定される。例えば、室内の熱負荷計算により所定の風量や能力を発揮させたい場合などがある。しかし、ダクトを接続した場合などは、そのダクトの風路圧損により希望する送風量を発揮できない場合がある。【０００５】
このような場合、従来は、事前にダクトの風路圧損を求めることで低下する送風量を予測し、送風量を大きくするよう設定していた。また、送風機のモータにかかる負荷から送風量を予測し、所定の送風量となるようにモータへフィードバックをかけるようしていた。
【先行技術文献】
【特許文献】
【０００６】
【特許文献１】特開２００３−２６９７７２
【発明の概要】
【発明が解決しようとする課題】
【０００７】
しかし、ダクトを接続した場合などはそのダクトの風路圧損により欲しい送風量が発揮できない場合があったり、モータの負荷と送風量の関係から事前にフィードバックをかけられるように複雑な制御パラメータを設定する必要があった。【０００８】
例えば、特許文献１に記載の空気調和機では、ファンを駆動するモータの負荷（静圧）と電流値、回転数の関係を事前に把握しておき、風量を検知、調整している。しかし、ファンとモータの２つの特性を把握して制御アルゴリズムを組む必要があるため、構成が複雑になるといった問題があった。【０００９】
本発明は、上記した問題を解決するためになされたもので、ダクト圧損やモータ特性、ファン特性を把握することなく所定の風量に調整することができる空気調和機を提供することを目的としている。
【課題を解決するための手段】
【００１０】
この発明に係る空気調和機は、冷媒を圧縮する圧縮機、冷媒を凝縮する凝縮器、減圧する膨張弁および蒸発する蒸発器が、冷媒を循環させる配管で連結された冷媒回路と、
前記蒸発器に空気を送風する送風機と、
前記圧縮機、膨張弁および送風機の動作を制御するコントローラと、を備え、
当該コントローラのメモリには、前記凝縮器および蒸発器の熱交換効率と送風量の関係を示すデータが格納され、
前記コントローラは、前記データに基づき、熱交換効率と冷凍サイクルの状態から前記送風機の送風量を計算することを特徴とする。
【発明の効果】
【００１１】
この発明に係る空気調和機において、コントローラは、前述のテーブルを用いて、熱交換効率と冷凍サイクルの状態から送風量を計算することが可能であり、その計算結果を基に送風量を調整できる送風機を具備することで、ダクト圧損やモータ特性、ファン特性を把握することなく所定の風量に調整することができる。
【図面の簡単な説明】
【００１２】
【図１】この発明の実施の形態に係る空気調和機の構成を説明する概略図である。
【図２】同実施の形態に係る空気調和機の冷凍サイクル図（その１）である。
【図３】同実施の形態に係る空気調和機の冷房運転時の動作を示すフローチャートである。
【図４】同実施の形態に係る空気調和機の冷凍サイクル図（その２）である。
【図５】同実施の形態に係る空気調和機の空気線図（その１）である。
【図６】同実施の形態に係る空気調和機の空気線図（その２）である。
【図７】同実施の形態に係る空気調和機の冷凍サイクル図（その３）である。
【図８】同実施の形態に係る空気調和機の冷凍サイクル図（その４）である。
【発明を実施するための形態】
【００１３】
以下、この発明の実施の形態に係る空気調和機ついて、図面を参照して説明する。なお、本文中に出てくる数値などは、動作の説明のため便宜的に仮定したものであることをここで宣言しておく。
【００１４】
図１は本実施の形態に係る空気調和機の構成を示す概略図である。この空気調和機は冷媒回路（圧縮機１、凝縮器２、膨張弁３、蒸発器４および配管２０で構成）、ファン５、モータ６、コントローラ７、圧力測定用センサ８、温度測定用センサ９〜１１および吸込空気状態測定用センサ１２により構成されている。
【００１５】
最初に、冷媒回路を構成する部材と周辺部材の機能を説明する。圧縮機１は、低圧のガス状態の冷媒を吸入し高圧のガス状態の冷媒へと圧縮する。ここで、圧縮機１はインバータ制御により運転周波数を任意に変化させることができるものでもよいし、運転周波数を変化させることができない一定速のものでもよい。
【００１６】
凝縮器２は、高圧のガス状態の冷媒を外部流体と熱交換させることで高圧の液状態の冷媒へと凝縮させる。ここで、熱交換に用いられる外部流体は空気などの気体でもよいし、水などの液体でもよい。
【００１７】
膨張弁３は、高圧の液状態の冷媒を低圧の気液二相状態の冷媒へと膨張させ減圧させる。同様の効果が得られるものがあれば代替することができるのは言うまでもない。例えば、電子膨張弁でもよいし、キャピラリーチューブでもよい。
【００１８】
蒸発器４は、膨張弁３から流入する低圧の気液二相状態の冷媒を空気と熱交換させることで低圧のガス状態の冷媒へと蒸発させ圧縮機に返す。
【００１９】
ファン５は、空気と蒸発器４の低圧の気液二相状態の冷媒とを熱交換させるために空気を蒸発器４に送るためのものである。同様の効果が得られるものであれば代替することができるのは言うまでもない。例えば、ファンの種類はシロッコファンでもよいし、プラグファンでもよい。また押し込み方式でもよいし、引っぱり方式でもよい。
【００２０】
モータ６は、ファン５を駆動させるためのものである。本実施の形態では送風量調整のために回転数制御できるモータとしているが、同様の効果が得られるものであれば代替することができるのは言うまでもない。
【００２１】
次に、各センサの機能を説明する。圧力測定用センサ８は、凝縮器２の圧力を測定する。温度測定用センサ９は、凝縮器２の出口温度を測定する。温度測定用センサ１０は、蒸発器４の熱交換器温度Ｔｅを測定する。温度測定用センサ１１は、蒸発器４の出口温度を測定する。
【００２２】
吸込空気状態測定用センサ１２は、蒸発器４へ流入する空気の乾球温度および湿球温度を測定する。湿球温度を測定できない場合は相対湿度を測定できるようにし、コントローラ７のメモリ（図示せず）に格納された空気物性のデータを基に湿球温度を演算するようしてもよい。
【００２３】
次に、コントローラ７の構成と機能について説明する。コントローラ７はマイクロコンピュータで構成されており、不揮発性メモリ等に空気物性、冷媒物性、能力演算式を示すデータが格納され、また下記表１に示すような熱交換効率εと送風量ＧＡとの関係を示すテーブルデータが格納されている。
【００２４】
【表１】
2016170668.tif 000003
【００２５】
コントローラ７は、図２に示す所定の冷凍サイクル（蒸発器４の出入口エンタルピ）および蒸発器４の出口エンタルピ）や能力に応じた冷媒循環量Ｇｒを作り出すために、センサ８〜１２から得られた圧力・温度データを基に圧縮機１や膨張弁３を制御し、送風量を演算し、所定の送風量を得るまでモータ６を制御してファン５を駆動させる。
【００２６】
なお、コントローラ７は、同様の効果が得られるものであればマイクロコンピュータ以外のもので代替することができるのは言うまでもない。また、コントローラ７は、室内機・室外機どちらか一方に具備させてもよいし、両方に具備していてもよい。
【００２７】
次に、図２に示した冷凍サイクル図に表示された各種値の求め方を説明する。コントローラ７は、圧力測定用センサ８で得られた凝縮器圧力ＰＣｍを基に、メモリに格納された冷媒物性のデータを用いて凝縮器温度を演算する。またコントローラ７は、温度測定用センサ９で得られた凝縮器出口温度と凝縮器温度を基に過冷却度ＳＣｍを演算する。
【００２８】
コントローラ７は、温度測定用センサ１０で得られた熱交換器温度Ｔｅを基に、メモリに格納された冷媒物性のデータを用いて蒸発器圧力Ｐｅを演算する。この蒸発器圧力Ｐｅは冷媒循環量Ｇｒの算出に用いられる。
【００２９】
冷媒循環量Ｇｒは、圧縮機１の押しのけ容積Ｖと圧縮される冷媒の密度ρによって、下記式（１）のように表される。
【００３０】
Ｇｒ＝Ｖ×ρ-----（１）
ここで、圧縮機の押しのけ容積Ｖは用いた圧縮機により決まり、圧縮される冷媒の密度ρは、蒸発器圧力Ｐｅを基にコントローラ７がメモリに格納された冷媒物性のデータから演算する。
【００３１】
コントローラ７は、温度測定用センサ１１で得られた蒸発器出口温度と前述の熱交換器温度Ｔｅを基に過熱度ＳＨｍを演算する。またコントローラ７は、吸込空気状態測定用センサ１２で得られた空気の乾球温度、湿球温度およびメモリに格納された空気物性のデータを基に吸込空気エンタルピを演算する。
【００３２】
なお、空気調和機に用いる冷媒は、冷凍サイクルを利用できればよいことは言うまでもない。例えば、Ｒ２２のような単一冷媒でもよいし、Ｒ４１０Ａのような混合冷媒でもよいし、ＣＯ２のような自然冷媒でもよい。
【００３３】
また、この空気調和機は、図１に示した部材だけで構成される必要はない。例えば、圧縮機１を保護するために液溜め（アキュムレータ）を具備していてもよいし、冷凍機油回収のために油分離器を具備していてもよい。
【００３４】
次に、図３に基づいて、本実施の形態に係る空気調和機の動作を説明する。図３は、空気調和機の冷房運転時における処理の流れを示すフローチャートである。
【００３５】
コントローラ７は、あらかじめ設定された蒸発能力Ｑｅ、送風量ＧＡを基に設定された送風量が得られているか判断し（ステップＳ１〜Ｓ３）、設定された送風量から離れていた場合（ステップＳ４においてＮｏ）、送風量を調整し、蒸発能力Ｑｅを満たすように冷凍サイクルを変化させる（ステップＳ５〜Ｓ７）。
【００３６】
蒸発能力Ｑｅは、冷媒循環量Ｇｒ、蒸発器出入口エンタルピ差ΔＨｒを用いて、下記式（２）のように表される。
【００３７】
Ｑｅ＝Ｇｒ×ΔＨｒ  ------（２）
ここで、蒸発器出入口エンタルピ差ΔＨｒは冷媒により制限される値であるため、以下では、一例として、Ｒ４１０Ａを用いた場合を示す。ΔＨｒはユニット保護の観点から１５０〜２００ｋＪ／ｋｇ程度が一般的な値となる。そこでΔＨｒを例えば１７５ｋＪ／ｋｇとなるように制御する。
【００３８】
また、標準的な屋外温度は３５℃程度であるとされ、凝縮器２が屋外に置かれ、かつ空気と熱交換するよう設置された場合は、熱交換させるために凝縮器２の温度は３５℃以上必要である。温度差があるほどよいが、ユニット保護の観点から凝縮器圧力ＰＣｍは３０ｋｇｆ／Ｃｍ２G程度が望ましいため、この圧力となるように制御する。この時、凝縮器の温度は５０℃程度となる。
【００３９】
蒸発器出口エンタルピＨｒｏについても、冷媒により制限される。ユニット保護の観点から、取れる圧力と過熱度の範囲ではほぼ同じ値であり、４２５ＫＪ／ｋｇ程度となる。
【００４０】
上述の結果、蒸発器入口エンタルピＨｒｉを決めることができ、
Ｈｒｉ＝Ｈｒｏ−ΔＨｒ
＝４２５ＫＪ／ｋｇ−１７５ＫＪ／ｋｇ
＝２５０ＫＪ／ｋｇ
となる。ＰＣｍが３０ｋｇf／Ｃｍ２Ｇであるため、凝縮器出口の冷媒温度が３１℃である必要がある。
【００４１】
すなわち、凝縮器２の温度が５０℃であったので、目標とする過冷却度ＳＣｍは、
ＳＣｍ＝５０℃−３１℃＝１９℃
となる。
【００４２】
目標とする過熱度ＳＨｍはユニット保護の観点から２〜５℃程度が望ましい。ここでは２℃とする。
【００４３】
蒸発能力Ｑｅが例えば２８ｋＷであれば、上記から
Ｇｒ＝Ｑｅ／ΔＨｒ
＝２８ｋＷ／１７５ｋＪ／ｋｇ
＝０．１６ｋｇ／ｓ
となるため、このＧｒを満たすように圧縮機１を制御してやればよい。例えば回転数制御型であれば、周波数を変化させればよい。
【００４４】
上述した状態が成り立つ冷凍サイクルは一つしかない。この冷凍サイクルになるまで圧力測定用センサ８、温度測定用センサ９〜１１のデータを基にコントローラ７に演算させて、圧縮機１および膨張弁３を制御し、その時の熱交換器温度をＴｅとする。図４にこの時の冷凍サイクルを示す。
【００４５】
蒸発器に流入する冷媒循環量Ｇｒを過熱度ＳＨｍの状態にするのに必要な温度差は、熱交換効率εによって決まる。熱交換器の効率が高いほど、より多くの冷媒を蒸発させることができるためである。また、熱交換器の効率は熱交換器の大きさと送風量によって決まる。熱交換器が大きく、送風量が多いほど熱交換器の効率は高くなる。熱交換器の効率は熱交換効率εと送風量ＧＡからＧＡ×εで表される。
【００４６】
蒸発能力は、熱交換効率を用いて下記式（３）のように表される。
【００４７】
Ｑｅ＝ＧＡ×ε×ΔｈＡ-----（３）
ここで、Ｑｅは蒸発能力、ＧＡは送風量、εは熱交換効率、ΔｈＡは空気エンタルピ差である。
【００４８】
図５の空気線図に示すように、エンタルピ差は、状態Ａの空気が状態Ｃの空気になった際のエンタルピ差であり、吸込んだ空気が熱交換器温度まで完全に冷やされることを示している。しかし、実際は吸込んだ空気の全てが熱交換器温度まで冷やされることはなく、図５の状態Ｂにしかならない。この時、状態Ａと状態Ｂのエンタルピ差がε×ΔｈＡで表される。
【００４９】
前述した通り、熱交換器の効率は熱交換器の大きさと送風量によって決まる。この熱交換効率εと送風量ＧＡの関係は、机上の計算や試験により事前に把握することができる。熱交換器ごとに表１のような関係が得られ、そのテーブルのデータをコントローラ７のメモリに格納しておいて送風量の判定を行う。なお、表１のようなテーブルに拘る必要はなく、近似式で与えてもよい。
【００５０】
蒸発能力Ｑｅが２８ｋＷ、送風量ＧＡが６０ｍ３／ｍｉｎであったとする。前述の表１からεが０．６９であるとコントローラ７により演算させる。この時のΔｈＡは
ΔｈＡ＝Ｑｅ／（ＧＡ×ε）
＝２８ｋＷ／（（６０ｍ３／ｍｉｎ／６０／０．８３ｍ３／ｋｇ）×０．６９）
＝３３．７ｋＪ／ｋｇ
となる。ここで、６０と０．８３ｍ３／ｋｇで除算しているのは体積流量を質量流量へと単位換算するためである。また０．８３ｍ３／ｋｇは一般的な空気の比容積である。
【００５１】
吸込空気状態測定用センサ１２により吸込空気の状態Ａが乾球２７℃、湿球１９℃であると分かったとする。この時、空気物性より状態ＡのエンタルピｈＡＡは、コントローラ７よって５３．８ｋＪ／ｋｇと演算でき、これにより状態ＣのエンタルピｈＡＣは、
ｈＡＣ＝ｈＡＡ−ΔｈＡ
＝５３．８ｋＪ／ｋｇ−３３．７ｋＪ／ｋｇ
＝２０．１ｋＪ／ｋｇ
となる。コントローラ７のメモリに格納された空気物性のデータから熱交換器温度Ｔｅ＿ｃａｌは５．８℃であると演算できる。この時の空気線図を図６に示す。
【００５２】
ここで、吸込空気状態測定用センサ１２により得られたＴｅと、演算により得られたＴｅ＿ｃａｌを比較する。一般的な温度センサの精度からＴｅとＴｅ＿ｃａｌとの差が０．５℃以上あった場合に送風量が設定値と違うと判断する。もちろん、センサによって精度は違うため０．５℃以外を判定値としてもよい。
【００５３】
図７に示すような冷凍サイクルで安定し、Ｔｅが５℃であったとすると、Ｔｅ＿ｃａｌが５．８℃であるので、０．８℃低い値となっている。この場合、熱交換器の効率が設定した送風量から得られるものより低いということを表している。すなわち、設定した送風量より実際の送風量が小さいということであり、ファン５の回転数を上げて送風量を増加させる必要がある。
【００５４】
逆に、図８に示すような冷凍サイクルで安定し、Ｔｅが７℃であったとすると、１．２℃高い値であるため、熱交換器の効率が設定した送風量から得られるものより高いということを表し、ファン５の回転数を下げて送風量を下げる必要がある。
【００５５】
送風量を変化させることで冷凍サイクルも変わってくるため、都度Ｔｅの値を確認することで、送風量を設定値へと調整することができる。
【００５６】
なお、本実施の形態では、蒸発器についてのみ記載したが、凝縮器であっても同様の考え方で送風量を調整することができることは言うまでもない。
【符号の説明】
【００５７】
１    圧縮機
２    凝縮器
３    膨張弁
４    蒸発器
５    ファン
６    モータ
７    コントローラ
８    圧力測定用センサ
９〜１１    温度測定用センサ
１２    吸込空気状態測定用センサ
【図１】
2016170668.tif 000004
【図２】
2016170668.tif 000005
【図３】
2016170668.tif 000006
【図４】
2016170668.tif 000007
【図５】
2016170668.tif 000008
【図６】
2016170668.tif 000009
【図７】
2016170668.tif 000010
【図８】
2016170668.tif 000011
【手続補正書】
【提出日】平成29年8月15日(2017.8.15)
【手続補正１】
【補正対象書類名】明細書
【補正対象項目名】００１０
【補正方法】変更
【補正の内容】
【００１０】
この発明に係る空気調和機は、冷媒を圧縮する圧縮機、冷媒を凝縮する凝縮器、減圧する膨張弁および蒸発する蒸発器が、冷媒を循環させる配管で連結された冷媒回路と、前記蒸発器に空気を送風する送風機と、前記蒸発器の熱交換器温度を測定する温度センサと、前記圧縮機、膨張弁および送風機の動作を制御するコントローラと、を備え、当該コントローラのメモリには、前記凝縮器および蒸発器の熱交換効率と送風量の関係を示すデータが格納され、前記コントローラは、前記データを用いて前記蒸発器の熱交換器温度を演算し、演算された前記熱交換器温度と、前記温度センサで測定された熱交換器温度とを比較した結果に応じて、前記送風機の回転数を調整して前記送風機の送風量を変化させることを特徴とする。
【手続補正２】
【補正対象書類名】特許請求の範囲
【補正対象項目名】全文
【補正方法】変更
【補正の内容】
【特許請求の範囲】
【請求項１】
冷媒を圧縮する圧縮機、冷媒を凝縮する凝縮器、減圧する膨張弁および蒸発する蒸発器が、冷媒を循環させる配管で連結された冷媒回路と、
前記蒸発器に空気を送風する送風機と、
前記蒸発器の熱交換器温度を測定する温度センサと、
前記圧縮機、膨張弁および送風機の動作を制御するコントローラと、を備え、
当該コントローラのメモリには、前記凝縮器および蒸発器の熱交換効率と送風量の関係を示すデータが格納され、
前記コントローラは、
前記データを用いて前記蒸発器の熱交換器温度を演算し、
演算された前記熱交換器温度と、前記温度センサで測定された熱交換器温度とを比較した結果に応じて、前記送風機の回転数を調整して前記送風機の送風量を変化させる
ことを特徴とする空気調和機。
【請求項２】
前記蒸発器に流入する空気の温度である吸込空気温度を測定する吸込空気温度センサをさらに備え、
前記コントローラのメモリには、空気物性がさらに格納され、
前記コントローラは、
前記データ、設定蒸発能力、設定送風量、前記空気物性、および前記吸込空気温度センサで測定された吸込空気温度に基づき、前記蒸発器の熱交換器温度を演算する
ことを特徴とする請求項１に記載の空気調和機。
【請求項３】
前記送風機は、ファンとモータが直結されている、請求項１または２に記載の空気調和機。
【請求項４】
前記送風機は、ファンとモータがプーリまたはベルトを介して間接的に接続されている請求項１または２に記載の空気調和機。
【国際調査報告】
2016170668.tif 000012
2016170668.tif 000013
2016170668.tif 000014
2016170668.tif 000015